(57)【要約】【課題】  充分な強度を有する組立式ハウスを提供する。  【解決手段】  組立式ハウス１は、段ボール又は厚紙からなる柱部材１０及び壁部材５０，６０，７０，８０を備えている。壁部材５０の側端部５０ａは、柱部材１０に固定される。壁部材６０の側端部６０ａは、壁部材５０の側端部５０ｂに固定される。壁部材７０の側端部７０ａは、壁部材６０の側端部６０ｂに固定される。壁部材８０の側端部８０ａ及び側端部８０ｂは、それぞれ、壁部材７０の側端部７０ｂ及び壁部材５０の側端部５０ａに固定される。柱部材１０は、折込線Ｌ１１〜Ｌ１３に沿って折り込まれることにより、四角柱状になるように構成されている。【選択図】  図１
2015059354.tif 000002
【特許請求の範囲】
【請求項１】
段ボール又は厚紙からなる第１の柱部材と、
段ボール又は厚紙からなる第１乃至第４の壁部材と、を備え、
前記第１の柱部材は、複数の折込線を有し、当該折込線に沿って折り込まれることによりｎ角柱（ｎは３以上の整数）状になるように構成されており、
前記第１の壁部材は、第１の側端部が前記第１の柱部材に固定されるように構成されており、
前記第２の壁部材は、第１の側端部が前記第１の壁部材の第２の側端部に固定されるように構成されており、
前記第３の壁部材は、第１の側端部が前記第２の壁部材の第２の側端部に固定されるように構成されており、
前記第４の壁部材は、第１の側端部が前記第３の壁部材の第２の側端部に固定されるとともに、第２の側端部が前記第１の壁部材の前記第１の側端部に固定されるように構成されていることを特徴とする組立式ハウス。
【請求項２】
請求項１に記載の組立式ハウスにおいて、
段ボール又は厚紙からなる第２の柱部材を備え、
前記第２の柱部材は、複数の折込線を有し、当該折込線に沿って折り込まれることによりｎ角柱状になるように構成されており、
前記第２の壁部材は、前記第１の側端部が前記第２の柱部材に固定されるように構成されている組立式ハウス。
【請求項３】
請求項１又は２に記載の組立式ハウスにおいて、
段ボール又は厚紙からなる第３の柱部材を備え、
前記第３の柱部材は、複数の折込線を有し、当該折込線に沿って折り込まれることによりｎ角柱状になるように構成されており、
前記第３の壁部材は、前記第１の側端部が前記第３の柱部材に固定されるように構成されている組立式ハウス。
【請求項４】
請求項１乃至３の何れかに記載の組立式ハウスにおいて、
段ボール又は厚紙からなる第４の柱部材を備え、
前記第４の柱部材は、複数の折込線を有し、当該折込線に沿って折り込まれることによりｎ角柱状になるように構成されており、
前記第４の壁部材は、前記第１の側端部が前記第４の柱部材に固定されるように構成されている組立式ハウス。
【請求項５】
請求項１乃至４の何れかに記載の組立式ハウスにおいて、
前記第２の壁部材は、互いに連結可能な２枚の副壁部材によって構成されており、
前記第４の壁部材は、互いに連結可能な２枚の副壁部材によって構成されている組立式ハウス。
【請求項６】
請求項５に記載の組立式ハウスにおいて、
段ボール又は厚紙からなる第５の柱部材を備え、
前記第５の柱部材は、複数の折込線を有し、当該折込線に沿って折り込まれることによりｎ角柱状になるように構成されており、
前記第２の壁部材を構成する前記２枚の副壁部材は、前記第５の柱部材を介して連結可能に構成されている組立式ハウス。
【請求項７】
請求項５又は６に記載の組立式ハウスにおいて、
段ボール又は厚紙からなる第６の柱部材を備え、
前記第６の柱部材は、複数の折込線を有し、当該折込線に沿って折り込まれることによりｎ角柱状になるように構成されており、
前記第４の壁部材を構成する前記２枚の副壁部材は、前記第６の柱部材を介して連結可能に構成されている組立式ハウス。
【請求項８】
請求項１乃至７の何れかに記載の組立式ハウスにおいて、
段ボール又は厚紙からなり、前記第１乃至第４の壁部材によって囲まれる空間を上方から覆う屋根部材を備える組立式ハウス。
【請求項９】
請求項８に記載の組立式ハウスにおいて、
前記屋根部材は、複数の折込線を有し、当該折込線に沿って折り込まれることにより下方が開放した箱型形状になるように構成されている組立式ハウス。
【請求項１０】
請求項１乃至９の何れかに記載の組立式ハウスにおいて、
前記第１の壁部材は、前記第１の側端部が前記第１の柱部材に固定されており、
前記第２の壁部材は、前記第１の側端部が前記第１の壁部材の前記第２の側端部に固定されており、
前記第３の壁部材は、前記第１の側端部が前記第２の壁部材の前記第２の側端部に固定されており、
前記第４の壁部材は、前記第１の側端部が前記第３の壁部材の前記第２の側端部に固定されるとともに、前記第２の側端部が前記第１の壁部材の前記第１の側端部に固定されており、
前記第１乃至第４の壁部材によって囲まれた空間を有する組立式ハウス。
【発明の詳細な説明】
【技術分野】
【０００１】
本発明は、紙製の組立式ハウスに関する。
【背景技術】
【０００２】
地震等の災害時には、多数の被災者が１つの避難所において共同生活を余儀なくされることがある。そのような避難所においては、被災者の心理的負担を少しでも和らげるべく、各被災者のプライベート空間を確保することが求められる。かかるプライベート空間を確保する手段としては、例えば特許文献１に記載されたものがある。同文献には、１枚の段ボールを折り曲げることにより、各被災者のスペースを仕切るための間仕切りを作ることが記載されている。
【先行技術文献】
【特許文献】
【０００３】
【特許文献１】特開２０１０−２５５２３８号公報
【発明の概要】
【発明が解決しようとする課題】
【０００４】
特許文献１の間仕切りによれば、最低限のプライベート空間を確保し、それにより被災者の心理的負担をある程度は和らげることができる。しかしながら、この間仕切りは、段ボール製であるため、強度の面で不安が残る。かかる強度面の不安は、被災者の心理的負担の増大につながってしまう。
【０００５】
本発明は、上記課題に鑑みてなされたものであり、充分な強度を有する組立式ハウスを提供することを目的とする。
【課題を解決するための手段】
【０００６】
本発明による組立式ハウスは、段ボール又は厚紙からなる第１の柱部材と、段ボール又は厚紙からなる第１乃至第４の壁部材と、を備え、上記第１の柱部材は、複数の折込線を有し、当該折込線に沿って折り込まれることによりｎ角柱（ｎは３以上の整数）状になるように構成されており、上記第１の壁部材は、第１の側端部が上記第１の柱部材に固定されるように構成されており、上記第２の壁部材は、第１の側端部が上記第１の壁部材の第２の側端部に固定されるように構成されており、上記第３の壁部材は、第１の側端部が上記第２の壁部材の第２の側端部に固定されるように構成されており、上記第４の壁部材は、第１の側端部が上記第３の壁部材の第２の側端部に固定されるとともに、第２の側端部が上記第１の壁部材の上記第１の側端部に固定されるように構成されていることを特徴とする。
【０００７】
この組立式ハウスにおいては、第２の壁部材の第１の側端部を第１の壁部材の第２の側端部に固定し、第３の壁部材の第１の側端部を第２の壁部材の第２の側端部に固定し、第４の壁部材の第１の側端部を第３の壁部材の第２の側端部に固定するとともに、第４の壁部材の第２の側端部を第１の壁部材の第１の側端部に固定することにより、第１乃至第４の壁部材によって囲まれた空間が生成される。これにより、充分なプライベート空間を確保することができる。さらに、第１の壁部材の第１の側端部が固定される第１の柱部材を折込線に沿って折り込むことにより、当該第１の柱部材をｎ角柱状にすることができる。かかる柱部材は、支柱として機能し、組立後の組立式ハウスの強度を高める。
【発明の効果】
【０００８】
本発明によれば、充分な強度を有する組立式ハウスが実現される。
【図面の簡単な説明】
【０００９】
【図１】本発明による組立式ハウスの第１実施形態を示す斜視図である。
【図２】図１の組立式ハウスを示す平面図である。
【図３】図１の柱部材１０を示す平面図である。
【図４】図１の柱部材２０を示す平面図である。
【図５】図１の柱部材３０を示す平面図である。
【図６】図１の柱部材４０を示す平面図である。
【図７】図１の壁部材５０を示す平面図である。
【図８】図１の壁部材６０を示す平面図である。
【図９】図１の壁部材７０を示す平面図である。
【図１０】図１の壁部材８０を示す平面図である。
【図１１】図１の屋根部材９０を示す平面図である。
【図１２】本発明による組立式ハウスの第２実施形態を示す斜視図である。
【図１３】図１２の組立式ハウスを示す平面図である。
【図１４】図１２の柱部材２００を示す平面図である。
【図１５】図１２の柱部材４００を示す平面図である。
【図１６】図１２の壁部材６１０を示す平面図である。
【図１７】図１２の壁部材６２０を示す平面図である。
【図１８】図１２の壁部材８１０を示す平面図である。
【図１９】図１２の壁部材８２０を示す平面図である。
【図２０】本発明の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による組立式ハウスの第１実施形態を示す斜視図である。また、図２は、図１の組立式ハウスを示す平面図である。組立式ハウス１は、柱部材１０（第１の柱部材）、柱部材２０（第２の柱部材）、柱部材３０（第３の柱部材）、柱部材４０（第４の柱部材）、壁部材５０（第１の壁部材）、壁部材６０（第２の壁部材）、壁部材７０（第３の壁部材）、及び壁部材８０（第４の壁部材）を備えている。組立式ハウス１は、これらの壁部材５０，６０，７０，８０によって囲まれた空間Ｓ１を有する。空間Ｓ１の大きさは、例えば、幅（壁部材６０と壁部材８０との間隔）が１ｍ程度、奥行（壁部材５０と壁部材７０との間隔）が１．３ｍ程度、高さが２ｍ程度である。かかる組立式ハウス１は、例えば、避難所において、被災者が用を足す際の囲いとして用いることができる。各柱部材１０，２０，３０，４０、及び各壁部材５０，６０，７０，８０は、段ボール又は厚紙からなる。
【００１２】
さらに、組立式ハウス１は、空間Ｓ１を上方から覆う屋根部材９０を備えている。屋根部材９０も、段ボール又は厚紙からなる。
【００１３】
壁部材６０は、側端部６０ａ（第１の側端部）が壁部材５０の側端部５０ｂ（第２の側端部）に固定されるように構成されている。壁部材７０は、側端部７０ａ（第１の側端部）が壁部材６０の側端部６０ｂ（第２の側端部）に固定されるように構成されている。また、壁部材８０は、側端部８０ａ（第１の側端部）が壁部材７０の側端部７０ｂ（第２の側端部）に固定されるとともに、側端部８０ｂ（第２の側端部）が壁部材５０の側端部５０ａ（第１の側端部）に固定されるように構成されている。
【００１４】
壁部材５０の側端部５０ａ及び壁部材８０の側端部８０ｂには、柱部材１０が固定される。壁部材５０の側端部５０ｂ及び壁部材６０の側端部６０ａには、柱部材２０が固定される。壁部材６０の側端部６０ｂ及び壁部材７０の側端部７０ａには、柱部材３０が固定される。また、壁部材７０の側端部７０ｂ及び壁部材８０の側端部８０ａには、柱部材４０が固定される。
【００１５】
図３は、柱部材１０を示す平面図である。柱部材１０は、１枚の段ボール又は厚紙からなる。柱部材１０には、３本の折込線Ｌ１１〜Ｌ１３が形成されている。柱部材１０は、これらの折込線Ｌ１１〜Ｌ１３に沿って折り込まれることにより、四角柱状になるように構成されている。具体的には、各折込線Ｌ１１〜Ｌ１３に沿って略直角に山折りすることにより、四角柱状の柱部材１０が形成される（図１及び図２参照）。
【００１６】
さらに、柱部材１０には、爪部１４及び孔部１８ａ，１８ｂ，１８ｃが形成されている。爪部１４は、柱部材１０の外周から突き出るように形成されている。孔部１８ａは、折込線Ｌ１１と柱部材１０の外周との間に形成されている。本実施形態においては、３つの孔部１８ａが形成されている。孔部１８ｂ，１８ｃは、折込線Ｌ１３と柱部材１０の外周との間に形成されている。本実施形態においては、５つの孔部１８ｂと４つの孔部１８ｃとが交互に配置されている。
【００１７】
折込線Ｌ１１と柱部材１０の外周との間隔は、折込線Ｌ１２と折込線Ｌ１３との間隔に略等しい。また、折込線Ｌ１１と折込線Ｌ１２との間隔は、折込線Ｌ１３と孔部１８ｂとの間隔に略等しい。組立時、爪部１４は、後述する壁部材５０の切欠部５６ａを通って、孔部１８ｂに挿入される。孔部１８ａには、後述する壁部材８０の爪部８５ｂが挿入される。また、孔部１８ｃには、後述する壁部材８０の爪部８４ｂが挿入される。  
【００１８】
図４は、柱部材２０を示す平面図である。柱部材２０は、１枚の段ボール又は厚紙からなる。柱部材２０には、３本の折込線Ｌ２１〜Ｌ２３が形成されている。柱部材２０は、これらの折込線Ｌ２１〜Ｌ２３に沿って折り込まれることにより、四角柱状になるように構成されている。具体的には、各折込線Ｌ２１〜Ｌ２３に沿って略直角に山折りすることにより、四角柱状の柱部材２０が形成される（図１及び図２参照）。
【００１９】
さらに、柱部材２０には、爪部２４及び孔部２８ａ，２８ｂ，２８ｃが形成されている。爪部２４は、柱部材２０の外周から突き出るように形成されている。孔部２８ａは、折込線Ｌ２１と柱部材２０の外周との間に形成されている。本実施形態においては、３つの孔部２８ａが形成されている。孔部２８ｂ，２８ｃは、折込線Ｌ２３と柱部材２０の外周との間に形成されている。本実施形態においては、５つの孔部２８ｂと４つの孔部２８ｃとが交互に配置されている。
【００２０】
折込線Ｌ２１と柱部材２０の外周との間隔は、折込線Ｌ２２と折込線Ｌ２３との間隔に略等しい。また、折込線Ｌ２１と折込線Ｌ２２との間隔は、折込線Ｌ２３と孔部２８ｂとの間隔に略等しい。なお、孔部２８ｃと柱部材２０の外周との間隔ｄ２２は、孔部１８ｃと柱部材１０の外周との間隔ｄ１２（図３参照）よりも小さい。組立時、爪部２４は、後述する壁部材５０の切欠部５６ｂを通って、孔部２８ｂに挿入される。孔部２８ａには、後述する壁部材６０の爪部６５ａが挿入される。また、孔部２８ｃには、後述する壁部材６０の爪部６４ａが挿入される。
【００２１】
図５は、柱部材３０を示す平面図である。柱部材３０は、１枚の段ボール又は厚紙からなる。柱部材３０には、３本の折込線Ｌ３１〜Ｌ３３が形成されている。柱部材３０は、これらの折込線Ｌ３１〜Ｌ３３に沿って折り込まれることにより、四角柱状になるように構成されている。具体的には、各折込線Ｌ３１〜Ｌ３３に沿って略直角に山折りすることにより、四角柱状の柱部材３０が形成される（図１及び図２参照）。
【００２２】
さらに、柱部材３０には、爪部３４及び孔部３８ａ，３８ｂ，３８ｃが形成されている。爪部３４は、柱部材３０の外周から突き出るように形成されている。孔部３８ａは、折込線Ｌ３１と柱部材３０の外周との間に形成されている。本実施形態においては、３つの孔部３８ａが形成されている。孔部３８ｂ，３８ｃは、折込線Ｌ３３と柱部材３０の外周との間に形成されている。本実施形態においては、５つの孔部３８ｂと４つの孔部３８ｃとが交互に配置されている。
【００２３】
折込線Ｌ３１と柱部材３０の外周との間隔は、折込線Ｌ３２と折込線Ｌ３３との間隔に略等しい。また、折込線Ｌ３１と折込線Ｌ３２との間隔は、折込線Ｌ３３と孔部３８ｂとの間隔に略等しい。なお、孔部３８ｃと柱部材３０の外周との間隔ｄ３２は、孔部１８ｃと柱部材１０の外周との間隔ｄ１２（図３参照）よりも小さい。組立時、爪部３４は、後述する壁部材７０の切欠部７６ａを通って、孔部３８ｂに挿入される。孔部３８ａには、後述する壁部材６０の爪部６５ｂが挿入される。また、孔部３８ｃには、後述する壁部材６０の爪部６４ｂが挿入される。
【００２４】
図６は、柱部材４０を示す平面図である。柱部材４０は、１枚の段ボール又は厚紙からなる。柱部材４０には、３本の折込線Ｌ４１〜Ｌ４３が形成されている。柱部材４０は、これらの折込線Ｌ４１〜Ｌ４３に沿って折り込まれることにより、四角柱状になるように構成されている。具体的には、各折込線Ｌ４１〜Ｌ４３に沿って略直角に山折りすることにより、四角柱状の柱部材４０が形成される（図１及び図２参照）。
【００２５】
さらに、柱部材４０には、爪部４４及び孔部４８ａ，４８ｂ，４８ｃが形成されている。爪部４４は、柱部材４０の外周から突き出るように形成されている。孔部４８ａは、折込線Ｌ４１と柱部材４０の外周との間に形成されている。本実施形態においては、３つの孔部４８ａが形成されている。孔部４８ｂ，４８ｃは、折込線Ｌ４３と柱部材４０の外周との間に形成されている。本実施形態においては、５つの孔部４８ｂと４つの孔部４８ｃとが交互に配置されている。
【００２６】
折込線Ｌ４１と柱部材４０の外周との間隔は、折込線Ｌ４２と折込線Ｌ４３との間隔に略等しい。また、折込線Ｌ４１と折込線Ｌ４２との間隔は、折込線Ｌ４３と孔部４８ｂとの間隔に略等しい。なお、孔部４８ｃと柱部材４０の外周との間隔ｄ４２は、孔部１８ｃと柱部材１０の外周との間隔ｄ１２（図３参照）よりも小さい。組立時、爪部４４は、後述する壁部材７０の切欠部７６ｂを通って、孔部４８ｂに挿入される。孔部４８ａには、後述する壁部材８０の爪部８５ａが挿入される。また、孔部４８ｃには、後述する壁部材８０の爪部８４ａが挿入される。
【００２７】
図７は、壁部材５０を示す平面図である。壁部材５０は、１枚の段ボール又は厚紙からなる。壁部材５０は、扉５２を除いて、左右対称の構造をしている。壁部材５０の側端部５０ａには、切欠部５６ａ及び孔部５８ａが形成されている。本実施形態においては、５つの切欠部５６ａと４つの孔部５８ａとが交互に配置されている。切欠部５６ａの深さｄ５１ａは、孔部５８ａと壁部材５０の外周との間隔ｄ５２ａに略等しい。組立時、上述した柱部材１０の爪部１４は、切欠部５６ａを通過して、孔部１８ｂに挿入される。また、孔部５８ａには、後述する壁部材８０の爪部８４ｂが挿入される。
【００２８】
壁部材５０の側端部５０ｂには、切欠部５６ｂ及び孔部５８ｂが形成されている。本実施形態においては、５つの切欠部５６ｂと４つの孔部５８ｂとが交互に配置されている。切欠部５６ｂの深さｄ５１ｂは、孔部５８ｂと壁部材５０の外周との間隔ｄ５２ｂに略等しい。組立時、上述した柱部材２０の爪部２４は、切欠部５６ｂを通過して、孔部２８ｂに挿入される。また、孔部５８ｂには、後述する壁部材６０の爪部６４ａが挿入される。
【００２９】
壁部材５０の中央部には、折込線Ｌ５１及び切込線Ｃ５１が形成されている。切込線Ｃ５１に沿って切込みを入れることにより、扉５２が得られる。折込線Ｌ５１に沿って折り込むことにより、扉５２を開けて、空間Ｓ１（図１参照）に出入りすることができる。扉５２には、突部５２ａが設けられている。扉５２（突部５２ａを除いた部分）の左端と切欠部５６ａとの間隔ｄ５３は、孔部１８ｃと柱部材１０の外周との間隔ｄ１２（図３参照）に略等しい。このため、組立後の組立式ハウス１において、柱部材１０の一部分（孔部１８ｃと柱部材１０の外周との間の部分）は、扉５２の突部５２ａと重なり合い、それにより扉５２のストッパーとして機能する。
【００３０】
図８は、壁部材６０を示す平面図である。壁部材６０は、１枚の段ボール又は厚紙からなり、左右対称の構造をしている。壁部材６０の側端部６０ａには、爪部６４ａが形成されている。本実施形態においては、４つの爪部６４ａが形成されている。組立時、爪部６４ａは、壁部材５０の孔部５８ｂ及び柱部材２０の孔部２８ｃに挿入される。さらに、側端部６０ａには、折込線Ｌ６１ａ及び切込線Ｃ６１ａが形成されている。折込線Ｌ６１ａと壁部材６０の外周との間隔ｄ６１ａは、柱部材２０の孔部２８ａと柱部材２０の外周との間隔ｄ２１（図４参照）に略等しい。
【００３１】
壁部材６０の側端部６０ｂには、爪部６４ｂが形成されている。本実施形態においては、４つの爪部６４ｂが形成されている。組立時、爪部６４ｂは、後述する壁部材７０の孔部７８ａ及び柱部材３０の孔部３８ｃに挿入される。さらに、側端部６０ｂには、折込線Ｌ６１ｂ及び切込線Ｃ６１ｂが形成されている。折込線Ｌ６１ｂと壁部材６０の外周との間隔ｄ６１ｂは、柱部材３０の孔部３８ａと柱部材３０の外周との間隔ｄ３１（図５参照）に略等しい。
【００３２】
切込線Ｃ６１ａ，Ｃ６１ｂに沿って切込みを入れた状態で、折込線Ｌ６１ａ，Ｌ６１ｂに沿って略直角に谷折りすることにより、爪部６５ａ，６５ｂが形成される。本実施形態においては、爪部６５ａ，６５ｂが３つずつ形成される。組立時、爪部６５ａは、柱部材２０の孔部２８ａに挿入される。また、爪部６５ｂは、柱部材３０の孔部３８ａに挿入される。
【００３３】
図９は、壁部材７０を示す平面図である。壁部材７０は、１枚の段ボール又は厚紙からなり、左右対称の構造をしている。壁部材７０の構造は、折込線Ｌ５１及び切込線Ｃ５１が形成されていない点を除いて、壁部材５０の構造と同様である。すなわち、壁部材７０の側端部７０ａには、切欠部７６ａ及び孔部７８ａが形成されている。本実施形態においては、５つの切欠部７６ａと４つの孔部７８ａとが交互に配置されている。各切欠部７６ａの深さｄ７１ａは、各孔部７８ａと壁部材７０の外周との間隔ｄ７２ａに略等しい。組立時、上述した柱部材３０の爪部３４は、切欠部７６ａを通過して、孔部３８ｂに挿入される。また、孔部７８ａには、壁部材６０の爪部６４ｂが挿入される。
【００３４】
壁部材７０の側端部７０ｂには、切欠部７６ｂ及び孔部７８ｂが形成されている。本実施形態においては、５つの切欠部７６ｂと４つの孔部７８ｂとが交互に配置されている。各切欠部７６ｂの深さｄ７１ｂは、各孔部７８ｂと壁部材７０の外周との間隔ｄ７２ｂに略等しい。組立時、上述した柱部材４０の爪部４４は、切欠部７６ｂを通過して、孔部４８ｂに挿入される。また、孔部７８ｂには、後述する壁部材８０の爪部８４ａが挿入される。
【００３５】
図１０は、壁部材８０を示す平面図である。壁部材８０は、１枚の段ボール又は厚紙からなり、左右対称の構造をしている。壁部材８０の構造は、壁部材６０の構造と同様である。すなわち、壁部材８０の側端部８０ａには、爪部８４ａが形成されている。本実施形態においては、４つの爪部８４ａが形成されている。組立時、爪部８４ａは、壁部材７０の孔部７８ｂ及び柱部材４０の孔部４８ｃに挿入される。さらに、側端部８０ａには、折込線Ｌ８１ａ及び切込線Ｃ８１ａが形成されている。折込線Ｌ８１ａと壁部材８０の外周との間隔ｄ８１ａは、柱部材４０の孔部４８ａと柱部材４０の外周との間隔ｄ４１（図６参照）に略等しい。
【００３６】
壁部材８０の側端部８０ｂには、爪部８４ｂが形成されている。本実施形態においては、４つの爪部８４ｂが形成されている。組立時、爪部８４ｂは、壁部材５０の孔部５８ａ及び柱部材１０の孔部１８ｃに挿入される。さらに、側端部８０ｂには、折込線Ｌ８１ｂ及び切込線Ｃ８１ｂが形成されている。折込線Ｌ８１ｂと壁部材８０の外周との間隔ｄ８１ｂは、柱部材１０の孔部１８ａと柱部材１０の外周との間隔ｄ１１（図３参照）に略等しい。
【００３７】
切込線Ｃ８１ａ，Ｃ８１ｂに沿って切込みを入れた状態で、折込線Ｌ８１ａ，Ｌ８１ｂに沿って略直角に谷折りすることにより、爪部８５ａ，８５ｂが形成される。本実施形態においては、爪部８５ａ，８５ｂが３つずつ形成される。組立時、爪部８５ａは、柱部材４０の孔部４８ａに挿入される。また、爪部８５ｂは、柱部材１０の孔部１８ａに挿入される。
【００３８】
図１１は、屋根部材９０を示す平面図である。屋根部材９０には、折込線Ｌ９１〜Ｌ９４が形成されている。折込線Ｌ９１，９３の長さは、空間Ｓ１（図１参照）の幅に略等しい。また、折込線Ｌ９２，９４の長さは、空間Ｓ１の奥行に略等しい。
【００３９】
折込線Ｌ９１の延長線上には、折込線Ｌ９５，Ｌ９６が形成されている。同様に、折込線Ｌ９３の延長線上には、折込線Ｌ９７，Ｌ９８が形成されている。また、折込線Ｌ９２の延長線上には、切込線Ｃ９２，Ｃ９３が形成されている。同様に、折込線Ｌ９４の延長線上には、切込線Ｃ９１，Ｃ９４が形成されている。
【００４０】
切込線Ｃ９１と切込線Ｃ９２との間の領域には、折込線Ｌ９９ａ，Ｌ９９ｂ、及び切込線Ｃ９５ａ，Ｃ９５ｂが形成されている。切込線Ｃ９５ａ，Ｃ９５ｂに沿って切込みを入れた状態で、折込線Ｌ９９ａ，Ｌ９９ｂに沿って略直角に山折りすることにより、爪部９５ａ，９５ｂが形成される。同様に、切込線Ｃ９３と切込線Ｃ９４との間の領域には、折込線Ｌ９９ｃ，Ｌ９９ｄ、及び切込線Ｃ９５ｃ，Ｃ９５ｄが形成されている。切込線Ｃ９５ｃ，Ｃ９５ｄに沿って切込みを入れた状態で、折込線Ｌ９９ｃ，Ｌ９９ｄに沿って略直角に山折りすることにより、爪部９５ｃ，９５ｄが形成される。
【００４１】
切込線Ｃ９１と屋根部材９０の外周との間の領域には、孔部９８ａが形成されている。切込線Ｃ９２と屋根部材９０の外周との間の領域には、孔部９８ｂが形成されている。切込線Ｃ９３と屋根部材９０の外周との間の領域には、孔部９８ｃが形成されている。また、切込線Ｃ９４と屋根部材９０の外周との間の領域には、孔部９８ｄが形成されている。
【００４２】
折込線Ｌ９９ａと孔部９８ａとの関係について説明すると、両者の長さは略等しい。そして、折込線Ｌ９９ａと折込線Ｌ９１との間隔ｄ９１は、孔部９８ａと切込線Ｃ９１との間隔ｄ９２に略等しい。また、折込線Ｌ９９ａと切込線Ｃ９１との間隔ｄ９３は、孔部９８ａと折込線Ｌ９５との間隔ｄ９４に略等しい。折込線Ｌ９９ｂと孔部９８ｂとの関係、折込線Ｌ９９ｃと孔部９８ｃとの関係、及び折込線Ｌ９９ｄと孔部９８ｄとの関係は、折込線Ｌ９９ａと孔部９８ａとの関係と同様である。
【００４３】
さらに、屋根部材９０には、切込９２ａ，９２ｂ，９２ｃ，９２ｄが２つずつ形成されている。切込９２ａの一方は、折込線Ｌ９５に連続して形成されている。２つの切込９２ａの間隔は、柱部材１０における折込線Ｌ１２と折込線Ｌ１３との間隔に略等しい。切込９２ｂの一方は、折込線Ｌ９６に連続して形成されている。２つの切込９２ｂの間隔は、柱部材２０における折込線Ｌ２２と折込線Ｌ２３との間隔に略等しい。切込９２ｃの一方は、折込線Ｌ９７に連続して形成されている。２つの切込９２ｃの間隔は、柱部材３０における折込線Ｌ３２と折込線Ｌ３３との間隔に略等しい。また、切込９２ｄの一方は、折込線Ｌ９８に連続して形成されている。２つの切込９２ｄの間隔は、柱部材４０における折込線Ｌ４２と折込線Ｌ４３との間隔に略等しい。
【００４４】
切込線Ｃ９１〜Ｃ９４に沿って切込みを入れた状態で、折込線Ｌ９２，Ｌ９４に沿って略直角に山折りするとともに、折込線Ｌ９５〜Ｌ９８に沿って略直角に山折りする。その後、爪部９５ａ，９５ｂ，９５ｃ，９５ｄがそれぞれ孔部９８ａ，９８ｂ，９８ｃ，９８ｄに挿入されるように、折込線Ｌ９１，Ｌ９３に沿って略直角に山折りする。これにより、図１に示すように、下方が開放した箱型形状の屋根部材９０が得られる。屋根部材９０の切込９２ａは、柱部材１０に係合される。切込９２ｂは、柱部材２０に係合される。切込９２ｃは、柱部材３０に係合される。また、切込９２ｄは、柱部材４０に係合される。これにより、屋根部材９０は、柱部材１０，２０，３０，４０及び壁部材５０，６０，７０，８０に固定される。
【００４５】
組立式ハウス１の効果を説明する。組立式ハウス１においては、壁部材６０の側端部６０ａを壁部材５０の側端部５０ｂに固定し、壁部材７０の側端部７０ａを壁部材６０の側端部６０ｂに固定し、壁部材８０の側端部８０ａを壁部材７０の側端部７０ｂに固定するとともに、壁部材８０の側端部８０ｂを壁部材５０の側端部５０ａに固定することにより、壁部材５０，６０，７０，８０によって囲まれた空間Ｓ１が生成される。組立式ハウス１によれば、このように四方が囲まれた空間Ｓ１が得られるため、充分なプライベート空間を確保することができる。これにより、組立式ハウス１のユーザのプライバシーを充分に保護することができる。
【００４６】
また、本実施形態においては、屋根部材９０により空間Ｓ１の上部も覆われる。これにより、組立式ハウス１のユーザのプライバシーをより厚く保護することができる。
【００４７】
さらに、柱部材１０を折込線Ｌ１１〜Ｌ１３に沿って折り込むことにより、四角柱状にすることができる。かかる柱部材１０は、支柱として機能し、組立後の組立式ハウス１の強度を高める。したがって、充分な強度を有する組立式ハウス１が実現されている。
【００４８】
本実施形態においては、柱部材２０も、折込線Ｌ２１〜Ｌ２３に沿って折り込むことにより、四角柱状にすることができる。これにより、組立式ハウス１の強度が一層高められる。同様に、柱部材３０は折込線Ｌ３１〜Ｌ３３に沿って折り込むことにより、柱部材４０は折込線Ｌ４１〜Ｌ４３に沿って折り込むことにより、それぞれ四角柱状にすることができる。これらの柱部材３０，４０も、組立式ハウス１の強度の向上に資する。
【００４９】
柱部材１０，２０，３０，４０、壁部材５０，６０，７０，８０、及び屋根部材９０は、段ボール又は厚紙からなる。このため、組立式ハウス１は、容易に廃棄することが可能である。また、段ボールや厚紙は比較的軽量であるため、組立の前後を通じて、組立式ハウス１の運搬・移動が容易となる。特に、これらの部材が段ボールからなる場合、消臭効果及び防音効果に優れた組立式ハウス１が実現される。
【００５０】
さらに、組立前、柱部材１０，２０，３０，４０、壁部材５０，６０，７０，８０、及び屋根部材９０は、１枚の平坦な段ボール又は厚紙からなる。このため、組立前の組立式ハウス１の保管に必要なスペースを節約することができる。
【００５１】
組立式ハウス１は、各部材を折込線に沿って折り込むとともに、切込線に沿って切り込むことにより、組み立てられるように構成されている。このため、組立てが容易な組立式ハウス１が実現されている。
（第２実施形態）
【００５２】
図１２は、本発明による組立式ハウスの第２実施形態を示す斜視図である。また、図１３は、図１２の組立式ハウスを示す平面図である。組立式ハウス２は、柱部材１０（第１の柱部材）、柱部材２０（第２の柱部材）、柱部材３０（第３の柱部材）、柱部材４０（第４の柱部材）、柱部材２００（第５の柱部材）、柱部材４００（第６の柱部材）、壁部材５０（第１の壁部材）、壁部材６００（第２の壁部材）、壁部材７０（第３の壁部材）、及び壁部材８００（第４の壁部材）を備えている。空間Ｓ２の大きさは、例えば、幅（壁部材６００と壁部材８００との間隔）が１ｍ程度、奥行（壁部材５０と壁部材７０との間隔）が２．４ｍ程度、高さが２ｍ程度である。かかる組立式ハウス２は、例えば、避難所において、被災者が寝る際の囲いとして用いることができる。柱部材１０，２０，３０，４０の構造、及び壁部材５０，７０の構造は、組立式ハウス１について説明したとおりである。各柱部材２００，４００、及び各壁部材６００，８００は、段ボール又は厚紙からなる。
【００５３】
壁部材６００は、互いに連結可能な２枚の壁部材６１０，６２０（副壁部材）によって構成されている。これらの壁部材６１０，６２０は、柱部材２００を介して互いに連結される。壁部材６１０，６２０は、段ボール又は厚紙からなる。同様に、壁部材８００は、互いに連結可能な２枚の壁部材８１０，８２０（副壁部材）によって構成されている。これらの壁部材８１０，８２０は、柱部材４００を介して互いに連結される。壁部材８１０，８２０も、段ボール又は厚紙からなる。
【００５４】
図１４は、柱部材２００を示す平面図である。柱部材２００は、１枚の段ボール又は厚紙からなる。柱部材２００には、３本の折込線Ｌ２０１〜Ｌ２０３が形成されている。柱部材２００は、これらの折込線Ｌ２０１〜Ｌ２０３に沿って折り込まれることにより、四角柱状になるように構成されている。具体的には、各折込線Ｌ２０１〜Ｌ２０３に沿って略直角に山折りすることにより、四角柱状の柱部材２００が形成される（図１２及び図１３参照）。
【００５５】
さらに、柱部材２００には、爪部２０４及び孔部２０８ａ，２０８ｂ，２０８ｃが形成されている。爪部２０４は、柱部材２００の外周から突き出るように形成されている。本実施形態においては、５つの爪部２０４が形成されている。孔部２０８ａ，２０８ｂは、折込線Ｌ２０２と折込線Ｌ２０３との間に形成されている。本実施形態においては、孔部２０８ａ，２０８ｂが３つずつ形成されている。孔部２０８ｃは、折込線Ｌ２０３と柱部材２００の外周との間に形成されている。本実施形態においては、５つの孔部２０８ｃが形成されている。
【００５６】
折込線Ｌ２０１と柱部材２００の外周との間隔は、折込線Ｌ２０２と折込線Ｌ２０３との間隔に略等しい。また、折込線Ｌ２０１と折込線Ｌ２０２との間隔は、折込線Ｌ２０３と孔部２０８ｃとの間隔に略等しい。組立時、爪部２０４は、孔部２０８ｃに挿入される。孔部２０８ａには、後述する壁部材６２０の爪部６２５ａが挿入される。また、孔部２０８ｂには、後述する壁部材６１０の爪部６１５ｂが挿入される。
【００５７】
図１５は、柱部材４００を示す平面図である。柱部材４００は、１枚の段ボール又は厚紙からなる。柱部材４００には、３本の折込線Ｌ４０１〜Ｌ４０３が形成されている。柱部材４００は、これらの折込線Ｌ４０１〜Ｌ４０３に沿って折り込まれることにより、四角柱状になるように構成されている。具体的には、各折込線Ｌ４０１〜Ｌ４０３に沿って略直角に山折りすることにより、四角柱状の柱部材４００が形成される（図１２及び図１３参照）。
【００５８】
さらに、柱部材４００には、爪部４０４及び孔部４０８ａ，４０８ｂ，４０８ｃが形成されている。爪部４０４は、柱部材４００の外周から突き出るように形成されている。本実施形態においては、５つの爪部４０４が形成されている。孔部４０８ａ，４０８ｂは、折込線Ｌ４０２と折込線Ｌ４０３との間に形成されている。本実施形態においては、孔部４０８ａ，４０８ｂが３つずつ形成されている。孔部４０８ｃは、折込線Ｌ４０３と柱部材４００の外周との間に形成されている。本実施形態においては、５つの孔部４０８ｃが形成されている。
【００５９】
折込線Ｌ４０１と柱部材４００の外周との間隔は、折込線Ｌ４０２と折込線Ｌ４０３との間隔に略等しい。また、折込線Ｌ４０１と折込線Ｌ４０２との間隔は、折込線Ｌ４０３と孔部４０８ｃとの間隔に略等しい。組立時、爪部４０４は、孔部４０８ｃに挿入される。孔部４０８ａには、後述する壁部材８２０の爪部８２５ｂが挿入される。また、孔部４０８ｂには、後述する壁部材８１０の爪部８１５ａが挿入される。
【００６０】
図１６は、壁部材６１０を示す平面図である。壁部材６１０の構造は、壁部材６０の構造と同様である。すなわち、壁部材６１０の側端部６１０ａには、爪部６１４ａが形成されている。本実施形態においては、４つの爪部６１４ａが形成されている。組立時、爪部６１４ａは、壁部材５０の孔部５８ｂ及び柱部材２０の孔部２８ｃに挿入される。さらに、側端部６１０ａには、折込線Ｌ６１１ａ及び切込線Ｃ６１１ａが形成されている。折込線Ｌ６１１ａと壁部材６１０の外周との間隔ｄ６１１ａは、柱部材２０の孔部２８ａと柱部材２０の外周との間隔ｄ２１（図４参照）に略等しい。
【００６１】
壁部材６１０の側端部６１０ｂには、爪部６１４ｂが形成されている。本実施形態においては、４つの爪部６１４ｂが形成されている。組立時、爪部６１４ｂは、後述する壁部材６２０の切欠部６２６に嵌合する。さらに、側端部６１０ｂには、折込線Ｌ６１１ｂ及び切込線Ｃ６１１ｂが形成されている。折込線Ｌ６１１ｂと壁部材６１０の外周との間隔ｄ６１１ｂは、柱部材３０の孔部３８ａと柱部材３０の外周との間隔ｄ３１（図５参照）に略等しい。
【００６２】
切込線Ｃ６１１ａ，Ｃ６１１ｂに沿って切込みを入れた状態で、折込線Ｌ６１１ａ，Ｌ６１１ｂに沿って略直角に谷折りすることにより、爪部６１５ａ，６１５ｂが形成される。本実施形態においては、爪部６１５ａ，６１５ｂが３つずつ形成される。組立時、爪部６１５ａは、柱部材２０の孔部２８ａに挿入される。また、爪部６１５ｂは、柱部材２００の孔部２０８ｂに挿入される。
【００６３】
図１７は、壁部材６２０を示す平面図である。壁部材６２０は、１枚の段ボール又は厚紙からなる。壁部材６２０の側端部６２０ａには、切欠部６２６が形成されている。本実施形態においては、４つの切欠部６２６が形成されている。切欠部６２６の形状は、壁部材６１０の爪部６１４ｂの形状と略同一である。組立時、切欠部６２６には、壁部材６１０の爪部６１４ｂが嵌合する。さらに、側端部６２０ａには、折込線Ｌ６２１ａ及び切込線Ｃ６２１ａが形成されている。折込線Ｌ６２１ａと壁部材６２０の外周との間隔ｄ６２１と、壁部材６１０における折込線Ｌ６１１ｂと外周との間隔ｄ６１１ｂとの和は、柱部材２００における孔部２０８ａと孔部２０８ｂとの間隔に略等しい。
【００６４】
壁部材６２０の側端部６２０ｂには、爪部６２４が形成されている。本実施形態においては、４つの爪部６２４が形成されている。組立時、爪部６２４は、壁部材７０の孔部７８ａ及び柱部材３０の孔部３８ｃに挿入される。さらに、側端部６２０ｂには、折込線Ｌ６２１ｂ及び切込線Ｃ６２１ｂが形成されている。折込線Ｌ６２１ｂと壁部材６２０の外周との間隔ｄ６２２は、柱部材３０の孔部３８ａと柱部材３０の外周との間隔ｄ３１（図５参照）に略等しい。
【００６５】
切込線Ｃ６２１ａ，Ｃ６２１ｂに沿って切込みを入れた状態で、折込線Ｌ６２１ａ，Ｌ６２１ｂに沿って略直角に谷折りすることにより、爪部６２５ａ，６２５ｂが形成される。本実施形態においては、爪部６２５ａ，６２５ｂが３つずつ形成される。組立時、爪部６２５ａは、柱部材２００の孔部２０８ａに挿入される。また、爪部６２５ｂは、柱部材３０の孔部３８ａに挿入される。
【００６６】
図１８は、壁部材８１０を示す平面図である。壁部材８１０の構造は、壁部材８０の構造と同様である。すなわち、壁部材８１０の側端部８１０ａには、爪部８１４ａが形成されている。本実施形態においては、４つの爪部８１４ａが形成されている。組立時、爪部８１４ａは、後述する壁部材８２０の切欠部８２６に嵌合する。さらに、側端部８１０ａには、折込線Ｌ８１１ａ及び切込線Ｃ８１１ａが形成されている。折込線Ｌ８１１ａと壁部材８１０の外周との間隔ｄ８１１ａは、柱部材４０の孔部４８ａと柱部材４０の外周との間隔ｄ４１（図６参照）に略等しい。
【００６７】
壁部材８１０の側端部８１０ｂには、爪部８１４ｂが形成されている。本実施形態においては、４つの爪部８１４ｂが形成されている。組立時、爪部８１４ｂは、壁部材５０の孔部５８ａ及び柱部材１０の孔部１８ｃに挿入される。さらに、側端部８１０ｂには、折込線Ｌ８１１ｂ及び切込線Ｃ８１１ｂが形成されている。折込線Ｌ８１１ｂと壁部材８１０の外周との間隔ｄ８１１ｂは、柱部材１０の孔部１８ａと柱部材１０の外周との間隔ｄ１１（図３参照）に略等しい。
【００６８】
切込線Ｃ８１１ａ，Ｃ８１１ｂに沿って切込みを入れた状態で、折込線Ｌ８１１ａ，Ｌ８１１ｂに沿って略直角に谷折りすることにより、爪部８１５ａ，８１５ｂが形成される。本実施形態においては、爪部８１５ａ，８１５ｂが３つずつ形成される。組立時、爪部８１５ａは、柱部材４００の孔部４０８ｂに挿入される。また、爪部８１５ｂは、柱部材１０の孔部１８ａに挿入される。
【００６９】
図１９は、壁部材８２０を示す平面図である。壁部材８２０は、１枚の段ボール又は厚紙からなる。壁部材８２０の側端部８２０ａには、爪部８２４が形成されている。本実施形態においては、４つの爪部８２４が形成されている。組立時、爪部８２４は、壁部材７０の孔部７８ｂ及び柱部材４０の孔部４８ｃに挿入される。さらに、側端部８２０ａには、折込線Ｌ８２１ａ及び切込線Ｃ８２１ａが形成されている。折込線Ｌ８２１ａと壁部材８２０の外周との間隔ｄ８２２は、柱部材４０の孔部４８ａと柱部材４０の外周との間隔ｄ４１（図６参照）に略等しい。
【００７０】
壁部材８２０の側端部８２０ｂには、切欠部８２６が形成されている。本実施形態においては、４つの切欠部８２６が形成されている。切欠部８２６の形状は、壁部材８１０の爪部８１４ａの形状と略同一である。組立時、切欠部８２６には、壁部材８１０の爪部８１４ａが嵌合する。さらに、側端部８２０ｂには、折込線Ｌ８２１ｂ及び切込線Ｃ８２１ｂが形成されている。折込線Ｌ８２１ｂと壁部材８２０の外周との間隔ｄ８２１と、壁部材８１０における折込線Ｌ８１１ａと外周との間隔ｄ８１１ａとの和は、柱部材４００における孔部４０８ａと孔部４０８ｂとの間隔に略等しい。
【００７１】
切込線Ｃ８２１ａ，Ｃ８２１ｂに沿って切込みを入れた状態で、折込線Ｌ８２１ａ，Ｌ８２１ｂに沿って略直角に谷折りすることにより、爪部８２５ａ，８２５ｂが形成される。本実施形態においては、爪部８２５ａ，８２５ｂが３つずつ形成される。組立時、爪部８２５ａは、柱部材４０の孔部４８ａに挿入される。また、爪部８２５ｂは、柱部材４００の孔部４０８ａに挿入される。
【００７２】
組立式ハウス２の効果を説明する。組立式ハウス２においては、壁部材６００が互いに連結可能な２枚の壁部材６１０，６２０によって構成されるとともに、壁部材８００が互いに連結可能な２枚の壁部材８１０，８２０によって構成されている。これにより、空間Ｓ２の奥行を大きくし、広いプライベート空間を確保することができる。
【００７３】
また、組立式ハウス２においては、壁部材６２０，８２０を取り外したり、取り付けたりすることにより、空間Ｓ２の広さを変えることが可能である。壁部材６２０，８２０を取り外した場合は、壁部材６１０の爪部６１４ｂを壁部材７０の孔部７８ａ及び柱部材３０の孔部３８ｃに挿入するとともに、爪部６１５ｂを柱部材３０の孔部３８ａに挿入すればよい。また、壁部材８１０の爪部８１４ａを壁部材７０の孔部７８ｂ及び柱部材４０の孔部４８ｃに挿入するとともに、爪部８１５ａを柱部材４０の孔部４８ａに挿入すればよい。
【００７４】
さらに、柱部材２００を折込線Ｌ２０１〜Ｌ２０３に沿って折り込むことにより、四角柱状にすることができる。かかる柱部材２００は、支柱として機能し、組立後の組立式ハウス２の強度を高める。また、柱部材４００を折込線Ｌ４０１〜Ｌ４０３に沿って折り込むことにより、四角柱状にすることができる。かかる柱部材４００も、支柱として機能し、組立後の組立式ハウス２の強度を高める。組立式ハウス２のその他の効果は、組立式ハウス１と同様である。なお、組立式ハウス２においても、組立式ハウス１と同様、空間Ｓ２を上方から覆う屋根部材を設けてもよい。
【００７５】
本発明による組立式ハウスは、上記実施形態に限定されるものではなく、様々な変形が可能である。例えば、第１実施形態においては４本の支柱（柱部材１０，２０，３０，４０）が設けられた場合、第２実施形態においては６本の支柱（柱部材１０，２０，３０，４０，２００，４００）が設けられた場合を示した。しかし、支柱の本数は、１以上の任意の数とすることができる。
【００７６】
上記実施形態においては、支柱が四角柱状である場合を例示した。しかし、支柱は、一般に、ｎ角柱（ｎは３以上の整数）とすることができる。上記実施形態は、ｎ＝４の場合である。
【００７７】
上記実施形態においては、壁部材５０に扉（扉５２）が設けられた場合を例示した。しかし、扉は、壁部材５０以外の壁部材に設けてもよい。
【００７８】
上記実施形態においては、部材どうしを固定する構造として、爪部を孔部に挿入する構造を例示した。かかる固定をより強固なものにするために、図２０に示すように、切込９０２ａの入ったストッパー部材９０２を用いてもよい。詳細には、爪部９０４にも切込９０４ａを入れておき、孔部９０６から突出した爪部９０４の切込９０４ａに対し、ストッパー部材９０２の切込９０２ａを係合させることにより、爪部９０４が孔部９０６から抜けるのを防ぐことができる。ただし、部材どうしの固定には、その他の手段（例えばガムテープによる貼り合わせ）を用いてもよい。
【００７９】
また、本発明による組立式ハウスは、避難所におけるプライベート空間の確保以外の用途にも適用できることは、言うまでもない。例えば、本発明による組立式ハウスは、子供の遊戯スペースに用いてもよいし、路上生活者の居住スペースに用いてもよい。
【符号の説明】
【００８０】
１  組立式ハウス
２  組立式ハウス
１０  柱部材（第１の柱部材）
１４  爪部
１８ａ，１８ｂ，１８ｃ  孔部
２０  柱部材（第２の柱部材）
２４  爪部
２８ａ，２８ｂ，２８ｃ  孔部
３０  柱部材（第３の柱部材）
３４  爪部
３８ａ，３８ｂ，３８ｃ  孔部
４０  柱部材（第４の柱部材）
４４  爪部
４８ａ，４８ｂ，４８ｃ  孔部
５０  壁部材（第１の壁部材）
５０ａ  側端部（第１の側端部）
５０ｂ  側端部（第２の側端部）
５２  扉
５６ａ，５６ｂ  切欠部
５８ａ，５８ｂ  孔部
６０  壁部材（第２の壁部材）
６０ａ  側端部（第１の側端部）
６０ｂ  側端部（第２の側端部）
６４ａ，６４ｂ  爪部
６５ａ，６５ｂ  爪部
７０  壁部材（第３の壁部材）
７０ａ  側端部（第１の側端部）
７０ｂ  側端部（第２の側端部）
７６ａ，７６ｂ  切欠部
７８ａ，７８ｂ  孔部
８０  壁部材（第４の壁部材）
８０ａ  側端部（第１の側端部）
８０ｂ  側端部（第２の側端部）
８４ａ，８４ｂ  爪部
８５ａ，８５ｂ  爪部
９０  屋根部材
９２ａ，９２ｂ，９２ｃ，９２ｄ  切込
９５ａ，９５ｂ，９５ｃ，９５ｄ  爪部
９８ａ，９８ｂ，９８ｃ，９８ｄ  孔部
２００  柱部材（第５の柱部材）
２０４  爪部
２０８ａ，２０８ｂ，２０８ｃ  孔部
４００  柱部材（第６の柱部材）
４０４  爪部
４０８ａ，４０８ｂ，４０８ｃ  孔部
６００  壁部材（第２の壁部材）
６１０  壁部材（副壁部材）
６１０ａ，６１０ｂ  側端部
６１４ａ，６１４ｂ  爪部
６１５ａ，６１５ｂ  爪部
６２０  壁部材（副壁部材）
６２０ａ，６２０ｂ  側端部
６２４  爪部
６２５ａ，６２５ｂ  爪部
６２６  切欠部
８００  壁部材（第４の壁部材）
８１０  壁部材（副壁部材）
８１０ａ，８１０ｂ  側端部
８１４ａ，８１４ｂ  爪部
８１５ａ，８１５ｂ  爪部
８２０  壁部材（副壁部材）
８２０ａ，８２０ｂ  側端部
８２４  爪部
８２５ａ，８２５ｂ  爪部
８２６  切欠部
９０２  ストッパー部材
９０２ａ  切込
９０４  爪部
９０４ａ  切込
９０６  孔部
【図１】
2015059354.tif 000003
【図２】
2015059354.tif 000004
【図３】
2015059354.tif 000005
【図４】
2015059354.tif 000006
【図５】
2015059354.tif 000007
【図６】
2015059354.tif 000008
【図７】
2015059354.tif 000009
【図８】
2015059354.tif 000010
【図９】
2015059354.tif 000011
【図１０】
2015059354.tif 000012
【図１１】
2015059354.tif 000013
【図１２】
2015059354.tif 000014
【図１３】
2015059354.tif 000015
【図１４】
2015059354.tif 000016
【図１５】
2015059354.tif 000017
【図１６】
2015059354.tif 000018
【図１７】
2015059354.tif 000019
【図１８】
2015059354.tif 000020
【図１９】
2015059354.tif 000021
【図２０】
2015059354.tif 000022